(57)【特許請求の範囲】
【請求項１】
電子番組ガイド（ＥＰＧ）サービスを使用せずに、タイマがビデオ番組の記録に必要な詳細を規定する、ビデオ記録装置のタイマの表示に情報を付加する方法において、
−反復的なタイマ（１２）に基づきビデオ番組を記録し、ここで前記反復的なタイマ（１２）において、前記記録の開始時には前記ビデオ番組に関連する少なくとも１つの情報項目は空の項目またはデフォルト項目であり、
−前記記録の間にビデオ信号から付加的な情報を抽出し（３）、ここで該付加的な情報は前記ビデオ番組と同時に受信されており、
−前記付加的な情報が前記ビデオ番組に関する所定の情報を包含するか否かを検出し（６）、ここで前記所定の情報は記録すべき前記ビデオ番組の番組タイトルであり、
−前記付加的な情報から前記所定の情報を抽出し（６）、
−前記所定の情報を前記反復的なタイマの将来のインスタンスと関連付け、前記空の項目または前記デフォルト項目を前記所定の情報に置換し、
−関連付けられた前記情報と共にタイマのリストを表示する、
ことを特徴とする、ビデオ記録装置のタイマの表示に情報を付加する方法。
【請求項２】
前記所定の情報が前記反復的なタイマのインスタンスにまだ挿入されていない場合にのみ、該所定の情報を前記反復的なタイマのインスタンスに挿入する、請求項１記載の方法。
【請求項３】
前記所定の情報を前記反復的なタイマの全てのインスタンスに挿入する、請求項１記載の方法。
【請求項４】
前記付加的な情報をアナログビデオ信号の垂直帰線消去期間から抽出する、請求項１から３までのいずれか１項記載の方法。
【請求項５】
前記所定の情報を、ＮＴＳＣ信号の前記垂直帰線消去期間のライン２１から抽出する、請求項４記載の方法。
【請求項６】
電子番組ガイド（ＥＰＧ）サービスを使用せずに、ビデオ記録装置においてタイマを設定し、設定されたタイマを表示する装置において、
−反復的なタイマ（１２）に基づきビデオ番組を記録する手段を有し、該ビデオ番組を記録する手段は、前記反復的なタイマ（１２）において、前記ビデオ番組に関連する少なくとも１つの情報項目が空の項目またはデフォルト項目である間に前記記録を開始し、
−前記記録の間にビデオ信号から付加的な情報を抽出する手段（３）を有し、ここで該付加的な情報は前記ビデオプログラムと同時に受信されており、
−前記付加的な情報が前記ビデオ番組に関する所定の情報を包含するか否かを検出する手段（６）を有し、該所定の情報は記録すべき前記ビデオ番組の番組タイトルであり、且つ、タイマのリストに表示可能であり、
−前記付加的な情報から前記所定の情報を抽出する手段（６）を有し、
−抽出された前記所定の情報を、表示される前記反復的なタイマの将来のインスタンスに挿入する手段を有し、ここで前記空の項目または前記デフォルト項目が前記所定の情報に置換され、
少なくとも前記反復的なタイマの将来のインスタンスを表示する手段を有する、
ことを特徴とする、ビデオ記録装置においてタイマを設定し、設定されたタイマを表示する装置。
【請求項７】
前記付加的な情報はアナログビデオ信号の垂直帰線消去期間から抽出される、請求項６記載の装置。
【発明の詳細な説明】
【技術分野】
【０００１】
発明の分野
本発明は、ビデオ記録装置のタイマに付加的なデータ、例えば番組タイトルを挿入する方法に関する。
【０００２】
背景
複数のタイマがビデオ記録装置、例えばパーソナルビデオレコーダ（ＰＶＲ）において設定されている場合、タイマのリストが付加的な情報、例えば記録すべき番組のタイトルを包含するならばそれはユーザにとって都合がよい。この情報は、例えば画面上のキーボードを使用して対話式に入力することができるか、多くのビデオコンテンツプロバイダの付加的なサービスである電子番組ガイド（ＥＰＧ）から取得することができる。しかしながら、ビデオコンテンツプロバイダがそのようなサービスを提供していない場合もあり、またはビデオコンテンツプロバイダが付加的な費用を対価にそのようなサービスを提供する場合もあるので、利用者の中にはこのサービスを利用しないと決める者もいる。このような場合にはチャネル、日付および時間あるいは一種のコード番号はビデオレコーダのタイマを設定する際に入力する必要がある。したがって、事前にプログラミングされたタイマが画面上に列挙されるときには、タイトルおよび他の付加的なデータは表示されず、チャネル、日付および時間のみが表示される。リストが長い場合、例えば種々のシリーズ（連続もの番組）または他の定期的な番組のエピソード（一回分）を多数包含する場合には、総括することは困難である。
【０００３】
さらには、公的に使用されているほぼ全てのビデオ規格においては、垂直帰線消去期間（ＶＢＩ）中に、例えば欧州でのテレテキストまたはアメリカ合衆国でのクローズドキャプションのような付加的な情報を伝送することができる。そのような情報を抽出して復号するための装置が多数存在している。幾つかの場合においては、目下伝送されている番組のタイトルもこの情報に包含されている。例えばＮＴＳＣ標準に関しては、そのような情報をＥＩＡ／ＣＥＡ−６０８−Ｂ標準にしたがいライン２１において伝送することができる。
【０００４】
発明の概要
本発明によって解決されるべき問題は、ビデオ記録装置がＥＰＧにアクセスできない場合には、反復的なタイマに関して番組情報、例えば番組タイトルまたは番組タイプが欠如していることである。この問題は請求項１に記載されている方法によって解決される。この方法を使用する装置が請求項７に記載されている。
【０００５】
本発明によれば、シリーズの一部である番組が記録されている間に、番組に関する付加的な情報データがＶＢＩから抽出され、このデータがこのシリーズの将来の全ての部分に対して付加され、その結果事前にプログラミングされたタイマが列挙されるときにデータを表示することができる。事前にプログラミングされたタイマが一連のタイマの部分であるか否かは、例えばそのタイマがプログラミングされた方式、すなわち反復的なタイマとしてプログラミングされたかによって検出することができる。
【０００６】
本発明の有利な実施形態は、従属請求項、図面および以下の詳細な説明に記載されている。
【０００７】
図面の簡単な説明
本発明の実施例を添付の図面と関連させて説明する。ここで、
図１はＶＢＩから付加的なデータを抽出するための例示的なシステムを示し、
図２は詳細なタイマ情報に関する画面上の表示を示し、
図３は番組名を有さないタイマのリストを示し、
図４は番組名を有するタイマのリストを示す。
【０００８】
発明の詳細な説明
本発明によれば、付加的な番組情報、例えば番組タイトルがＶＢＩにおける受信した情報から抽出され、番組が反復的なタイマに基づき記録されている場合にはタイマのリストに挿入される。本発明による方法を使用するディジタルシステムの例示的なブロック図が図１に示されている。ＮＴＳＣ入力信号１がデコーダ２において受信されて、ＣＣＩＲ６５６ディジタルビデオストリームに復号される。次いでライン２１からの付加的な情報がスライサ３において、前述のディジタルビデオストリームから分離され、また復号される。生じたオーディオビデオ（ＡＶ）ストリームはＭＰＥＧ（Motion Picture Expert Group）エンコーダ４に送信され、ＭＰＥＧ符号化された信号はディジタル記憶媒体５、例えばハードディスクドライブに記憶され、他方スライサ３によって復号された付加的な情報は処理ユニット６によって処理される。処理ユニット６は例えば番組タイトルを検出し、その番組タイトルを記憶媒体５に送信し、この記憶媒体５は記録されたＡＶストリームに関連付けられたファイルに情報を記憶する。前述のＡＶストリームを再生するためには、記録されたデータが記憶媒体５から読み出され、ＭＰＥＧデコーダ７に転送される。復号されたＡＶストリームは表示制御ユニット８に転送され、この表示制御ユニット８はＡＶストリームおよびこのＡＶストリームに関連付けられたファイルから読み出されたデータを表示データに変換する。前述のファイルから表示ピクセルにどのように変換するかについての情報がグラフィックジェネレータから受信される。このグラフィックジェネレータは処理ユニット６の一部として実施することができる。さらには、表示制御ユニット８は表示データを符号化し、ＴＶに出力するためにＮＴＳＣフォーマットされた信号９を供給する。
【０００９】
反復的なタイマの詳細が表示される場合には、ユーザに表される画面は図２に示されているようなものでよい。ユーザによって入力されている現在のタイマに関する識別子１１および情報、すなわち記録すべき番組のチャネルおよび時間１０、および反復的なタイマ１２、例えば毎日または毎週といった情報が示される。識別子１１をタイマのリストにおけるデフォルトタイトル列として使用することができる。
【００１０】
図３は反復的なタイマ２１をプログラミングした後のタイマリストの画面表示を示すが、この反復的なタイマに関連する番組が初めて記録される前の状態である。表示は次のタイマインスタンスのデフォルトタイトル列２１、日付２２、時間２３およびチャネル２４ならびにそれぞれデータを備えた種々のタイマ２６を含む。この例においては、反復的なタイマは曜日表示２２によって表されており、それに対して非反復的なタイマは月日表示２５によって表されている。
【００１１】
本発明によれば、反復的なタイマ２１に関する番組が初めて記録されると、タイマのリストを図４に示されているように変更することができる。リストは依然として反復的なタイマ３１のタイマの曜日３２、時間３３およびチャネル３４ならびに他のタイマ３５を表示することができるが、反復的なタイマ３１に関するデフォルトタイトル列はＶＢＩから抽出された実際の番組タイトルに置換されている。
【００１２】
本発明の１つの実施形態においては、抽出された付加的なデータを前述のように挿入することが、この付加的なデータが反復的なタイマに関してまだ記憶されていない場合にのみ、例えば反復的なタイマが初めて記録を行うときに実施される。本発明の別の実施形態においては、抽出された付加的なデータは番組が反復的なタイマに基づき記録される度に挿入され、必要に応じて以前に挿入された情報が上書きされる。本発明の第３の実施形態においては、反復的なタイマの記憶されているデータを、目下記録している番組と共に受信されている付加的なデータと比較して、これらのデータが変更されている場合にのみ修正する。
【００１３】
タイマのリストを表示するときに反復的なタイマに対して単に１行のみ使用する代わりに、反復的なタイマの幾つかのインスタンスまたは全てのインスタンスを列挙することが可能である。この場合には、付加的なデータを前述のように抽出して、反復的なタイマの表示される全てのインスタンスを表示することができる。
【００１４】
有利には、反復的なタイマに情報を付加するための前述の方法をビデオ装置またはＡＶ記録装置に使用することができるが、反復的なタイマを使用してプログラミングすることができ、且つ記録中に付加的な情報を受信する他の記録装置にも使用することができる。付加的な情報は例えば番組タイトル、スポーツ番組または子供番組のような番組のタイプまたは子供には適していないような番組の分類を含む。
【図面の簡単な説明】
【００１５】
【図１】ＶＢＩから付加的なデータを抽出するための例示的なシステム。
【図２】詳細なタイマ情報に関する画面上の表示。
【図３】番組名を有さないタイマのリスト。
【図４】番組名を有するタイマのリスト。
【図１】
0004559863.tif 000002
【図２】
0004559863.tif 000003
【図３】
0004559863.tif 000004
【図４】
0004559863.tif 000005